(57)【特許請求の範囲】
【請求項１】
キャビネット本体に水平回動自在に設けられ、キャビネット本体の格納空間に出し入れ自在なトレイを備えたキャビネットにおいて、トレイの外周部分に回動方向へ延びる水平フランジを設けて、水平フランジを案内するフランジ案内部をキャビネット本体に設け、前記キャビネット本体と前記トレイとの間に配置され、格納状態の前記トレイにおける前記フランジ案内部から離れた箇所を支持するトレイ支持具を備えたことを特徴とする水平回動式トレイ付きキャビネット。
【発明の詳細な説明】
【技術分野】
【０００１】
本発明は、キャビネット本体にトレイを水平回動自在に設けた水平回動式トレイ付きキャビネットに関するものである。
【背景技術】
【０００２】
従来、キャビネット本体内の格納位置に出し入れできるようにして収納カゴを水平回動自在に設けたキャビネットが特許文献１に提案されている。収納カゴは、金属製のワイヤーを格子状に組み表面に樹脂を被覆させた面材を側面及び底面に使用して平面略扇形状に形成して、扇形状の中心部側を回動自在に片持ち状態で支持し、包丁等を収納する収納箱を内部に配設してある。収納カゴは、収納物の重みで中心部から離れた外周部分が撓まないように、金属製ワイヤーからなる面材を用いて強度的に強く形成して、強度的に弱い収納箱を収納カゴの内部に配設している。
【特許文献１】特開２００４−１８１１２２号公報
【発明の開示】
【発明が解決しようとする課題】
【０００３】
しかし、従来のキャビネットは、収納カゴを金属製ワイヤーからなる面材を用いて強度的に強く形成してあるため、合成樹脂等から成形された強度的に弱いトレイを片持ち状態で水平回動自在に設けるものに適用することが不可能であった。強度的に弱いトレイでは、収納物の重みで回動中心部から離れた外周部分が撓み、トレイの円滑な出し入れができない問題を生じることがあるからである。
【０００４】
そこで、本発明は、上記問題を解決するために、強度的に弱いトレイであっても円滑な出し入れができ水平回動式トレイ付きキャビネットを提供することを目的とする。
【課題を解決するための手段】
【０００５】
強度的に弱いトレイであっても円滑な出し入れができようにすると共に、トレイの格納状態の安定を図るために請求項１記載の発明が採用した手段は、キャビネット本体に水平回動自在に設けられ、キャビネット本体の格納空間に出し入れ自在なトレイを備えたキャビネットにおいて、トレイの外周部分に回動方向へ延びる水平フランジを設けて、水平フランジを案内するフランジ案内部をキャビネット本体に設け、前記キャビネット本体と前記トレイとの間に配置され、格納状態の前記トレイにおける前記フランジ案内部から離れた箇所を支持するトレイ支持具を備えたことを特徴とする水平回動式トレイ付きキャビネットである。
【０００６】
請求項１記載の発明にあっては、トレイ外周部分に設けた水平フランジをキャビネット本体に設けたフランジ案内部で支持することで、トレイ外周部分の撓みを防止してトレイを水平状態にできる。
また、この発明にあっては、格納状態のトレイのフランジ案内部から離れた箇所をトレイ支持具で支持することで、当該箇所の撓みを防止してトレイを水平状態とすることができる。
【０００７】
なお、前記トレイが、前記キャビネット本体に水平回動自在に支持した前板の背面側から突設し、前板が、前記トレイを前記格納空間に格納したときに、該格納空間の該トレイ出し入れ用開口部を覆う大きさであるようにすることもある。この場合には、格納状態のトレイが格納空間のトレイ出し入れ用開口部を覆う前板の背面側に位置するので、キャビネット本体の外側からトレイが見えなくなる。このように、格納状態のトレイを見えないようにして、見栄えよくすることができる。
【００１１】
また、前記トレイ支持具は、前記キャビネット本体に一端側を支持された水平回動自在な支持棒と、前記トレイに設けられ摺動案内部を有する被支持具とを備え、支持棒の他端側を摺動案内部に摺動自在に係合したようにすることもある。この場合には、水平回動自在な支持棒とトレイに設けた被支持具との組合せでトレイ支持具の背丈を低くできる。このように、トレイ支持具の背丈を低くしてコンパクトにすることで、狭い格納空間への適用を更に容易にすることができる。
【００１３】
更に、前記トレイ支持具は、前記トレイの底面より上方に、前記支持棒及び前記被支持具を配置したようにすることもある。この場合には、トレイの底面より上方にトレイ支持具の支持棒及び被支持具を配置することで、トレイより下方に位置する機器や収納物等とトレイ支持具との干渉を防止できる。このように、トレイより下方に位置するものとトレイ支持具との干渉を防止することで、トレイ下方を有効利用できるようになる。
【００１５】
また、前記支持棒と前記被支持具との間に、前記トレイを引き出し方向へ付勢するバネを備えたようにすることもある。この場合には、トレイを引き出し方向へ付勢するバネの働きでトレイを容易に引き出すことができる。このように、バネの働きでトレイの引き出しが容易となり、使い勝手を向上させることができる。
【００１７】
更に、前記キャビネット本体に機器を備え、機器の下方に前記格納空間を形成し、機器より手前側に前記支持棒の一端側を支持したようにすることもある。この場合には、機器の下方にトレイを配置することができ、機器より手前側に支持棒の一端側を支持してあるので、機器の取付位置を調整しても支持棒と干渉しない。このように、支持棒と干渉せずに機器の取付位置を調整できるのでキャビネットの組み立てが容易となり、機器の下方にトレイがあるので使い勝手を向上させることができる。
【発明の効果】
【００１９】
請求項１に係るキャビネットは、トレイの水平フランジをフランジ案内部で支持することでトレイが安定するので、強度的に弱いトレイであっても円滑な出し入れができようになる。更に、請求項１に係るキャビネットは、格納状態のトレイをトレイ支持具で支持することでトレイが安定するので、キャビネット本体に備えた機器等との衝突のない状態でトレイを格納できる。
【発明を実施するための最良の形態】
【００２６】
本発明に係る水平回動式トレイ付きキャビネット（以下、「本発明キャビネット」と言う。）を図面に示す実施の形態に基づいて説明する。
【００２７】
（第１の実施の形態）
図１乃至図６は、本発明キャビネットの第１の実施の形態を示すものである。図１は本発明キャビネットの右側を省略したものであり、図（Ａ）は正面図、図（Ｂ）は平面図である。図２は本発明キャビネットの拡大した側面断面図である。図３は、本発明キャビネットの右側及び下側を省略して拡大したものであって、ワークトップ及びシンクを省略すると共に、トレイの手前側の前板を破断して主要部を示した正面図である。図４は、図３における主要部を拡大した正面図である。図５は、本発明キャビネットの右側を省略したものであって、ワークトップ、シンク及び引出しを省略して主要部を示した平面図である。図６は、本発明キャビネットの主要部を拡大した斜視図である。
【００２８】
本発明キャビネット１は、キャビネット本体２と、キャビネット本体２に水平回動自在に設けられ、キャビネット本体２の格納空間Ｋに対して出し入れ自在に水平回動するトレイ５とを備えている。本例のキャビネット本体２は、上方に設けたワークトップ３と、内部に設けたシンク４と、トレイ５の下方に配置した引出し７及び引出し８とを備え、シンク４と上段の引出し７との間にトレイ５を配置してある。トレイ５は、配置する箇所として、シンク４の下方以外に、加熱調理具等の設備機器の下方であってもよい。また、本発明キャビネット１は、キッチン設備に適用する以外に、トレイ付き洗面化粧台や、テレビを載置するトレイ付き載置台等に適用することも可能である。
【００２９】
前記キャビネット本体２は、図３に示す如く、設備機器であるシンク４の下方に格納空間Ｋが形成され、格納空間Ｋの出入り口部の周縁が、側板２６、仕切板２７並びに側板２６及び仕切板２７に架け渡した横部材２８，２９で形成されている。また、本例のキャビネット本体２は、シンク４の手前側に機器手前空間Ｔが形成され、機器手前空間Ｔの開口周縁部が、側板２６、仕切板２７並びに側板２６及び仕切板２７に架け渡した横部材２９，３０で形成されている。
【００３０】
前記トレイ５は、図５に示す如く、合成樹脂素材等から平面略扇形状に形成され、底板部５ａの周縁に環状壁板部５ｂを立設して、環状壁板部５ｂの内側を収納部５ｃとしてある。トレイ５は、環状壁板部５ｂの回動中心に対向する位置にある弧状の上端周縁部又は環状壁板部５ｂの中間高さ位置等から外方へ水平に突設させる等して、外周部分に回動方向Ｍへ延び、且つ半径方向に突出した水平フランジ５ｄを設けてある。トレイ５は、環状壁板部５ｂの手前側に形成した取付部５ｅ（図３参照）を前板６の背面側にビス等で取り付けて、前板６の背面から外側へ水平に突設させてある。トレイ５と前板６とは、別体に形成してビス等で一体化した結合体とする以外に、合成樹脂素材で一体成型することも可能である。
【００３１】
前記前板６は、図２及び図３に示す如く、キャビネット本体１に、上下の回動具９，９（図３参照）を用いて水平回動自在に支持させて、トレイ５の扇中心部側を回動中心として回動するようにしてある。前板６は、トレイ５を格納空間Ｋに格納したときに、格納空間Ｋの出入り口部を覆う大きさとなっており、使用者側からシンク４及びトレイ５を遮蔽する目隠しとなる。なお、トレイ５は、前板６に取り付ける以外に、前板６を省略して、キャビネット本体１にトレイ扇中心部側を回動自在に支持させることも可能である。
【００３２】
上記前板６は、その高さ寸法を大きくして、前記キャビネット本体２の機器手前空間Ｔの開口周縁部を開閉できるようにしてある。なお、図示は省略したが、キャビネット本体２の機器手前空間Ｔを幕板で覆う構造とした場合には、前板６は、格納空間Ｋの出入り口部のみを開閉できる高さ寸法とすればよい。
【００３３】
前記トレイ５は、図３、図４及び図５に示す如く、キャビネット本体２に設けたフランジ案内部１５に、前記水平フランジ５ｄを案内させるようにしてある。フランジ案内部１５は、格納空間Ｋの開口周縁部を形成する上下の横部材２９，２８の間に設けた縦部材３１に取付ける等して配置される。フランジ案内部１５は、配置する箇所として、トレイ５が格納空間Ｋに格納された状態及びキャビネット本体２の手前側へ引き出された状態のいずれの場合であっても、水平フランジ５ｄを支持してトレイ５を必ず水平状態に支持するようになっている。前記フランジ案内部１５には、水平フランジ５ｄを支持するコロ１５ａが設けられており、トレイ５を出入れする際の抵抗を軽減している。トレイ５は、前板６の回動により、キャビネット本体２内部の格納空間Ｋとキャビネット本体２より外側との間を水平状態を維持したまま移動することができる。
【００３４】
本発明キャビネット１は、トレイ外周部分に設けた水平フランジ５ｄをキャビネット本体２に設けたフランジ案内部１５で支持して、トレイ外周部分の撓みを防止することで、片持ち状態の支持では強度的に弱くなるトレイ５であっても円滑な出し入れができようになる。本発明キャビネット１は、背丈の低い（すなわち、高さ寸法の短い）ために曲げ剛性が小さくて撓み易いトレイ５に適用した場合であっても、トレイ外周部分の撓みを防止して引き出したトレイ５の水平状態を維持させることで、背丈の低い狭い格納空間Ｋにも適用することが可能となり、キャビット本体２の内部における狭い空間の有効利用を図ることができる。
【００３５】
前記キャビネット本体２は、図３及び図４に示す如く、前板６との間にロック機構１３を設けてあり、トレイ５を格納空間Ｋに格納して前板６を閉状態としたとき、ロック機構１３で前板６の閉状態を維持するようにしてある。ロック機構１３は、フランジ案内部１５と並んで配置して、縦部材３１等に取付けてある。ロック機構１３は、キャビネット本体２側に設けられ突出状態と没入状態とを交互に繰り返す磁石を備えた本体部と、前板６の背面側等に設けた磁性板との組合せからなり、前板６の閉移動に伴い磁性板で本体部の磁石を押圧して磁石を没入状態とすることで、トレイ５を格納する前板６の閉状態を維持させ、次に、前板６を押圧して磁石を突出状態とすることで、前板６を手前側へ若干移動させて、トレイ５を引き出すための前板６の開き操作が簡単となるようにしてある。
【００３６】
前記キャビネット本体２とトレイ５との間には、図２及び図６に示す如く、トレイ５の撓みを防止するためのトレイ支持具１６が設けられている。トレイ支持具１６は、キャビネット本体２に取付けた軸受部１７と、軸受部１７に回動自在に支持された支持棒１８と、トレイ５の回動中心（トレイ５の扇中心部側）から離れた箇所（本例ではトレイ５の奥側）に設けられた被支持具１９とを備えている。前記支持棒１８の回動中心となる前記軸受部１７はトレイ５の回動中心の近傍に配置されている。トレイ支持具１６は、トレイ５の底面５ａより上方にトレイ支持具１６の支持棒１８及び被支持具１９を配置することで、トレイ５より下方に位置する機器や収納物等との干渉を防止できる。支持棒１８と被支持具１９との間には、トレイ５を引き出し方向に付勢する付勢バネ２０が配置されている。被支持具１９は、長孔状の摺動案内部２１と、付勢バネ２０の一端を連結するバネ連結部２２とを有している。被支持具１９は、トレイ５と別体に形成してトレイ５にビス等で取り付けてあるが、トレイ５と一体に形成することも可能である。
【００３７】
上記支持棒１８は、横方向に長い棒部１８ａと、棒部１８ａの両側から縦方向へ延びる手前側縦軸１８ｂ及び奥側縦軸からなる係合部１８ｃとを有し、軸受部１７に手前側縦軸１８ｂを軸支してある。そして、支持棒１８は、奥側縦軸１８ｃに付勢バネ２０の他端を連結し、被支持具１９の摺動案内部２１に係合部１８ｃを係合させた状態で摺動自在に案内させると共に係合部１８ｃの先端にセットリング等からなる抜止具２５（図２参照）を取り付け、摺動案内部２１から係合部１８ｃが抜けないようにしてある。支持棒１８は、シンク４より手前側に設けた軸受部１７に一端側を支持して、シンク４の取付位置を調整しても干渉しないようにして、調整作業が容易にできるようにしてある。軸受部１７は、キャビネット本体２の格納空間Ｋの出入り口部の周縁を形成する部材（本例では図６に示す如く横部材２９）に取付てある。
【００３８】
前記トレイ支持具１６は、本例ではトレイ５に設けられた被支持具１９を支持棒１８で吊り下げてトレイ５を支持するようにしてあるが、これに限定するものではなく図示は省略したが、トレイ５に設けられた被支持具１９を支持棒１８で持ち上げてトレイ５を支持するように構成し、トレイ５の上端縁よりも低い位置に配設することも可能である。
【００３９】
次に、トレイ５が格納空間Ｋに格納されときの格納状態と、格納状態からキャビネット本体２の外側へトレイ５を引き出す動作と、トレイ５がキャビネット本体２の手前側へ引き出されたときの引き出し状態と、引き出し状態から格納状態へトレイ５を押し込む押し込み動作とを各々説明する。
【００４０】
（格納状態）トレイ５は、図５中の左側及び図６に示す如く、格納空間Ｋに入っているとき、手前側が前板６及びフランジ案内部１５で支持されており、奥側がトレイ支持具１６で支持される。支持棒１８の係合部１８ｃは、摺動案内部２１に対して、トレイ５及び前板６の回動中心から最も離れた箇所で係合している。そして、付勢バネ２０は、引っ張られて弾性力を蓄えた状態となっている。付勢バネ２０の弾性力で引き出し方向へ付勢されているトレイ５は、ロック機構１３で引き出しが阻止されている。
【００４１】
（引き出す動作）トレイ５を引き出すには、先ず、前板６を押圧してロック機構１３で前板６を手前へ若干移動させることで開き操作が簡単となるようにした後、前板６を手前へ引いて開き操作を行う。開き操作を行うと、付勢バネ２０に蓄えられている弾性力でトレイ５が開く方向へ付勢されて回動し、トレイ５と共に回動する被支持具１９の摺動案内部２１に案内されて回動する支持棒１８の係合部１８ｃが摺動案内部２１の端部に衝突して引き出し方向への回動を停止して、トレイ５を引き出して静止する（図５中の右側）。
【００４２】
（引き出し状態）図５中の右側に示す如く、トレイ５が引き出されて静止しているときは、トレイ５は、手前側が前板６で支持されており、奥側がフランジ案内部１５及びトレイ支持具１６で支持され、水平状態を維持する。
【００４３】
（押し込み動作）キャビネット本体２の外側の引き出し空間Ｈに静止している前板６を格納空間Ｋに向けて押圧して、トレイ支持具１６の付勢バネ２０に弾性力を蓄えさせつつトレイ５を回動させる。前板６の閉移動に伴いロック機構１３は、磁性板で本体部の磁石を押圧して磁石を没入状態とすることで、トレイ５を格納する前板６の閉状態を維持する。
【００４４】
前述の如く、本発明キャビネット１は、トレイ外周部分に設けた水平フランジ５ｄをキャビネット本体２に設けたフランジ案内部１５で支持することで、トレイ外周部分の撓みを防止してトレイ５を水平状態にできるため、背丈の低いトレイ５を利用してキャビネット本体２内の背丈の低い狭い格納空間Ｋにも適用することが可能となる。また、本発明キャビネット１は、トレイ５が格納状態から引き出し状態へ至る間に、手前側及び奥側が、前板６、フランジ案内部１５及びトレイ支持具１６の３つの部材で安定よく支持され、例え重い収納物を収納した場合であってもトレイ５が撓むのを防いでいる。更に、本発明キャビネット１は、トレイ５と前板６とが一体化した結合体となることでトレイ５の剛性を向上させることができる。
【００４５】
（第２の実施の形態）
図７は、第２の実施の形態の本発明キャビネットを示すものであって、図（Ａ）は本発明キャビネットの右側を省略したものであり、ワークトップ、シンク及び引出しを省略して主要部を示した平面図であり、図（Ｂ）は本発明キャビネットの下側を省略した側面断面図である。
【００４６】
本実施の形態に係る本発明キャビネット４０が第１の実施の形態に本発明キャビネット１（図１〜図６）と大きく相違する点は、前記本発明キャビネット１のトレイ支持具１６における軸受部１７、支持棒１８及び被支持具１９とを省略して、省略した代わりに、トレイ支持具４１に格納空間Ｋの下方に面する支持領域Ｓを形成し、格納空間Ｋにあるトレイ５を水平状態に支持するようにしたことにある。このトレイ支持具４１の支持領域Ｓには、トレイ５の奥側を安定よく支持する水平領域Ｓ１と、外側へ向かって下り傾斜することでトレイ５格納空間Ｋに誘導するテーパー領域Ｓ２とが形成されている。上記相違点以外の構成は、第１の実施の形態における本発明キャビネット１と実質的に同一であり、図７に示す符号の内、図１〜図６（第１の実施の形態）と同一のものは、同一の構成部材などを示す。
【図面の簡単な説明】
【００４７】
【図１】本発明キャビネットの第１の実施の形態を示すものであって、本発明キャビネットの右側を省略したものであり、図（Ａ）は正面図、図（Ｂ）は平面図である。
【図２】第１の実施の形態における本発明キャビネットを拡大した側面断面図である。
【図３】第１の実施の形態における本発明キャビネットの右側及び下側を省略して拡大したものであって、ワークトップ及びシンクを省略すると共に、トレイの手前側の前板を破断して主要部を示した正面図である。
【図４】図３における主要部を拡大した正面図である。
【図５】第１の実施の形態における本発明キャビネットの右側を省略したものであって、ワークトップ、シンク及び引出しを省略して主要部を示した平面図である。
【図６】第１の実施の形態における本発明キャビネットの主要部を拡大した斜視図である。
【図７】第２の実施の形態の本発明キャビネットを示すものであって、図（Ａ）は本発明キャビネットの右側を省略したものであり、ワークトップ、シンク及び引出しを省略して主要部を示した平面図であり、図（Ｂ）は本発明キャビネットの下側を省略した側面断面図である。
【符号の説明】
【００４８】
２…キャビネット本体、５…トレイ、５ｄ…水平フランジ、１５…フランジ案内部、Ｋ…格納空間、Ｍ…回動方向
【図１】
0004461461.tif 000002
【図２】
0004461461.tif 000003
【図３】
0004461461.tif 000004
【図４】
0004461461.tif 000005
【図５】
0004461461.tif 000006
【図６】
0004461461.tif 000007
【図７】
0004461461.tif 000008